(57)【要約】【課題】被服の目的部へ簡単に挿入してセットできると共に皺を良好に伸ばすことができる被服用皺伸ばし器を提供する。【解決手段】バネ器２及び２本の皺伸ばし用作動杆３，４を有する皺伸ばし器本体１と、ストッパー体５とからなり、バネ器は金属杆で形成され、金属杆の中央部に形成したバネ部２２から延設されて互に弾力的に接近・離反自在、かつ、バネ部のバネ作用で互に離反する方向へ弾発力を付与して対設した１対のバネ杆体２３，２４を備える。両作動杆は両バネ杆体の先端部に固定して対設してある。ストッパー体は、両バネ杆体の接近・離反する方向への動きを許容すると共に両バネ杆体の長手方向に移動自在、かつ、両バネ杆体を所定の位置まで接近させた状態で両バネ杆体の離反方向への動きを規制するストッパー用係合部５１，５２を備え、両係合部を両バネ杆体に係合して設けてある。【選択図】図１
0003121188.tif 000002
【実用新案登録請求の範囲】
【請求項１】
皺伸ばし器本体と、この本体に設けたストッパー体とを備え、
前記皺伸ばし器本体は、バネ器と２本の皺伸ばし用作動杆とを有してなり、
前記バネ器は金属杆で形成され、前記金属杆の略中央部に形成したバネ部と、このバネ部に延設され、互に弾力的に接近・離反自在、かつ、前記バネ部のバネ作用により互に離反する方向へ弾発力を付与して対設した１対のバネ杆体を備え、
前記両作動杆は任意の径及び長さを有する丸杆体で形成され、前記両作動杆は前記バネ杆体の先端部にそれぞれ固定して対設され、
前記ストッパー体は、前記両バネ杆体の接近・離反する方向への動きを許容すると共に前記両バネ杆体の長手方向に移動自在、かつ、前記両バネ杆体を所定の位置まで接近させた状態で前記両バネ杆体の離反方向への動きを規制するストッパー用係合部を備え、
前記ストッパー体は、前記係合部を前記両バネ杆体に係合して設けてあることを特徴とする、
被服用皺伸ばし器。
【請求項２】
前記ストッパー用係合部は、略長方形状に形成した係合枠状部で構成されていることを特徴とする、請求項１に記載の被服用皺伸ばし器。
【請求項３】
前記ストッパー用係合部は、略長方形状に形成した係合孔で構成されていることを特徴とする、請求項１に記載の被服用皺伸ばし器。
【請求項４】
請求項１ないし３のいずれかに記載の被服用皺伸ばし器において、前記バネ器は、前記両バネ杆体に嵌合して設けた任意の径及び長さのグリップ体を備えていることを特徴とする、被服用皺伸ばし器。
【考案の詳細な説明】
【技術分野】
【０００１】
本考案は被服の皺を伸ばす被服用皺伸ばし器に関する。さらに詳しくは、例えば特にスーツ，ジャケット，ブレザー，コート等の袖やズボンの股下部等の皺を伸ばす被服用皺伸ばし器に関するものである。
【背景技術】
【０００２】
従来、この種の被服用皺伸ばし器として、図７に示すものが提案されている。この従来の被服用皺伸ばし器（以下、「従来の皺伸ばし器」という）について図７を参照して説明する。従来の皺伸ばし器はバネ器１０１と、任意の径及び長さを有する丸杆体で形成した２本の皺伸ばし用作動杆１０２，１０３とを備える。
【０００３】
前記バネ器１０１は金属杆で形成され、前記金属杆の中央部を図形状にカールして形成した図形バネ１０４と、このバネ部に延設され、互に弾力的に接近・離反自在、かつ、バネ１０４のバネ作用により互に離反する方向へ弾発力を付与して対設した１対のバネ杆体１０５，１０６とを備える。前記両作動杆１０２，１０３は両バネ杆体１０５，１０６の先端部に固定して対設されている。両バネ杆体１０５，１０６にはグリップ体１０７，１０８が嵌合して設けてある。
【０００４】
従来の皺伸ばし器は上記のように構成したもので、例えば次のように使用する。即ち、グリップ体１０７，１０８を手で握りしめて両作動杆１０２，１０３を互に接近（閉じる）させる。そして、上記状態で両作動杆を目的の被服（被服はハンガーに吊るされている）の袖口から袖内へ挿入した後、グリップから手を離す。
グリップ体から手を離すことにより、両作動杆はバネ部のバネ作用により両バネ杆体と同調して弾力的に離反して袖に当接し、袖に張力を付与する。したがって、袖に生じている皺は次第に伸ばされる。
【０００５】
上記のように、従来の皺伸ばし器によれば、アイロン等を掛けなくても被服の袖等の皺を伸ばして修正することができる。しかるに、従来の皺伸ばし器においても次のような改良すべき余地が残されている。
【０００６】
即ち、従来の皺伸ばし器は両グリップを手で握りしめて両作動杆を閉じ、この状態を維持したまま両作動杆を袖に挿入してセットするものであるため、セットする際の作業に手間が掛かる。即ち、両グリップ体を握りしめて両作動杆を閉じるためには、両グリップ体を可成り強い力で押圧して握持する必要があるため、片方の手で操作するには労力を要し、無理な場合が生じる。このような場合には他方の手も使用して両作動杆を握りしめて閉じ、この状態で両作動杆を袖に挿入してセットする必要がある。
しかし、両方の手を使用して両作動杆を閉じ、その状態で両作動杆を袖に挿入すると、挿入作業に手間が掛り、時には両作動杆を袖の所望の部位まで円滑かつ整然と挿入できない場合が生じる。
【０００７】
上述したように、従来の皺伸ばし器によれば、アイロン等を掛けなくても被服の袖等の皺を伸ばすことができるが、上記した問題点を解消し得る技術は未だ提案されていない。
【考案の開示】
【考案が解決しようとする課題】
【０００８】
本考案は上記のような実情に鑑み、従来の皺伸ばし器の有する特性を活用し、被服の袖等の目的部へ簡単かつ整然と挿入してセットできると共に皺を良好に伸ばすことができる被服用皺伸ばし器を提供することを目的とするものである。
【課題を解決するための手段】
【０００９】
上記目的を達成するため、本考案は、皺伸ばし器本体と、この本体に設けたストッパー体とを備え、前記皺伸ばし器本体は、バネ器と２本の皺伸ばし用作動杆とを有してなり、前記バネ器は金属杆で形成され、前記金属杆の略中央部に形成したバネ部と、このバネ部に延設され、互に弾力的に接近・離反自在、かつ、前記バネ部のバネ作用により互に離反する方向へ弾発力を付与して対設した１対のバネ杆体を備え、前記両作動杆は任意の径及び長さを有する丸杆体で形成され、前記両作動杆は前記バネ杆体の先端部にそれぞれ固定して対設され、前記ストッパー体は、前記両バネ杆体の接近・離反する方向への動きを許容すると共に前記両バネ杆体の長手方向に移動自在、かつ、前記両バネ杆体を所定の位置まで接近させた状態で前記両バネ杆体の離反方向への動きを規制するストッパー用係合部を備え、前記ストッパー体は、前記係合部を前記両バネ杆体に係合して設けてあることを特徴とする。
なお、この明細書において、「被服」とは、スーツ，ジャケット，ブレザー，コート、或いはズボン等を含む意味として使用されている。また、本考案の被服用皺伸ばし器は、被服を例えばハンガー等に掛けて吊り下げた状態で使用される。
【００１０】
上記のように構成した本考案によれば、両バネ杆体の適当部を手で握りしめて前記両作動杆を互に接近させ、この状態でストッパー体を両バネ杆体の先端部側へ移動することにより、両バネ杆体はストッパー用係合部によって離反方向への動きを規制されるので、前記両作動杆は互に接近した状態を維持して係止する。
【００１１】
したがって、一方の手で皺伸ばし器を持ち、他方の手で袖等を掴みながら両作動杆を袖等へ挿入できるので、挿入作業が簡単かつ円滑に行なうことができる。また、両作動杆を袖等に挿入した後、両バネ杆体の適当部を握って両バネ杆体をさらに接近させるように押圧力を加えると、ストッパー体はバネ杆体の基部側方向へ移動して両バネ杆体の前記係止状態は解除される。したがって、両作動杆はバネ部のバネ作用により両バネ杆体と同調して弾力的に離反して袖等に当接し、袖等に張力を掛けるので、袖等に生じている皺は両作動杆の押圧作用を受けて次第に伸ばされる。
【００１２】
本考案において、前記ストッパー用係合部は、略長方形状に形成した係合枠状部で構成することができる。また、ストッパー用係合部は、略長方形状に形成した係合孔で構成することもできる。
【００１３】
本考案においては、前記バネ器の両バネ杆体に任意の径及び長さのグリップ体を嵌合して設けた構成を採用することができる。
【考案の効果】
【００１４】
本考案によれば、両バネ杆体の適当部を手で握りしめて両作動杆を互に接近させ、この状態でストッパー体を両バネ杆体の先端部側へ移動することにより、両バネ杆体はストッパー用係合部によって離反方向への動きを規制され、両作動杆は互に接近した状態を維持して係止する。そして、上記状態で両バネ杆体の適当部を握って両バネ杆体をさらに接近させるように押圧力を加えると、ストッパー体はバネ杆体の基部側（円形バネ部側）方向へ移動して両バネ杆体の前記係止状態は解除され、両作動杆はバネ部のバネ作用により両バネ杆体と同調して弾力的に離反して袖等に当接し、袖等に張力を掛ける。
したがって、本考案によれば、被服用皺伸ばし器の両作動杆を被服の袖等に挿入してセットする作業を簡単かつ、円滑良好に行なえると共に袖等に生じている皺を伸ばすことができる。
【考案を実施するための最良の形態】
【００１５】
以下、図面を参照して本考案の被服用皺伸ばし器の実施の形態の一例を説明する。
【００１６】
図１は本考案の被服用皺伸ばし器の一実施の形態を示す正面図（ａ）と側面図（ｂ）、図２は同上皺伸ばし器の要部を拡大して示す正面図、図３は図２のＡ−Ａ線拡大断面図、図４はストッパー体の斜視図、図５は同上皺伸ばし器の作用説明図、図６は同上皺伸ばし器の使用状態の一例を示す説明図である。
【００１７】
上記図１ないし図６において、この実施の形態の被服用皺伸ばし器は、皺伸ばし器本体１と、この本体１に設けたストッパー体５とを備え、皺伸ばし器本体１は、バネ器２と２本の皺伸ばし用作動杆３，４とを有している。
【００１８】
前記バネ器２は、適当な径及び長さの金属杆２１で形成され、金属杆２１の略中央部を円形状にカールして形成したバネ部２２と、このバネ部２２から延設され、互に弾力的に接近・離反自在、かつ、バネ部２２のバネ作用により互に離反する方向へ弾発力を付与して対設した１対のバネ杆体２３，２４とを備えている。
【００１９】
この実施の形態のバネ器２の前記両バネ杆体２３，２４は、握り操作部２３ａ，２４ａと、第１の傾斜部２３ｂ，２４ｂと、第２の傾斜部２３ｃ，２４ｃとを有している（図２参照）。
前記両操作部２３ａ，２４ａは、バネ部２２から前記杆体２３又は２４（両杆体２３，２４は同じ長さ）の全長の約半分程度の長さまで延設して対設してある。前記第１の傾斜部２３ｂ，２４ｂは、操作部２３ａ，２４ａの先端から任意の角度で外側方向へ対称的に傾斜させて延設されている。前記第２の傾斜部２３ｃ，２４ｃは、第１の傾斜部２３ｂ，２４ｂの先端から任意の角度で内側方向へ対称的に傾斜させて延設されている。
【００２０】
また、この実施の形態のバネ器２は、両バネ杆体２３，２４の握り操作部２３ａ，２４ａに嵌合して設けた任意の径及び長さのグリップ体２５，２６を備えている。グリップ体２５，２６の素材は特に限定するものではないが、例えばプラスチックやゴム材等を採用することができる。
【００２１】
前記グリップ体２５，２６を設けることにより、握り操作部２３ａ，２４ａの握り操作を良好に行なえる。また、図５，図６に示すように、ストッパー体５のバネ部２２側方向への移動を制限することもできる。
【００２２】
前記両作動杆３，４は適当な径及び長さを有する丸杆体３１，４１で形成されている。両作動杆３，４は両バネ杆体２３，２４の先端部にそれぞれ固定して対設されている。両作動杆３，４の径及び長さは任意に設定することができる。両作動杆３，４の素材は特に限定するものではないが、例えば木材やプラスチック等を採用することができる。この実施の形態では木材を採用している。また、両作動杆３，４の先端には丸みが付与されている。
【００２３】
前記ストッパー体５は任意の素材で形成されている。ストッパー体５は、両バネ杆体２３，２４の接近・離反する方向への動きを許容すると共にバネ杆体２３，２４の長手方向に移動自在、かつ、両バネ杆体２３，２４を所定の位置まで接近させた状態で両バネ杆体２３，２４の離反方向への動きを規制するストッパー用係合部５１，５２を備えている。ストッパー体５は前記用係合部５１，５２を両バネ杆体２３，２４に係合して設けてある。
【００２４】
この実施の形態のストッパー体５は適当な径及び長さの金属杆材５３で形成され、前記杆材５３の両端部側を折り曲げて形成した略長方形状の係合枠状部５１ａ，５２ａを備え、両枠状部５１ａ，５２ａで前記両係合部５１，５２を構成してある。実施の形態のストッパー体は、両枠状部５１ａ，５２ａを両バネ杆体２３，２４にそれぞれ係合して設けてある。これにより、例えば図３に示すように、両バネ杆体２３，２４は枠状部５１ａ，５２ａの範囲内で互に接近・離反する方向へ自由に移動すると共に両バネ杆体２３，２４が枠体部５１ａ，５２ａの外端部に当接することにより、それ以上の離反方向への移動を規制するようになっている。
【００２５】
実施の形態の被服用皺伸ばし器は上記のように構成され、バネ器２の両バネ杆体のグリップ体２５，２６の部分を手で握りしめて両作動杆３，４を互に接近させ、この状態でストッパー体５を両バネ杆体２３，２４の先端部側、即ち、第２の傾斜部２３ｃ，２４ｃの位置へ移動することにより、両バネ杆体２３，２４はストッパー用係合部５１，５２によって離反方向への動きを規制されるので、両作動杆３，４は互に接近した状態を維持して係止する。この場合において、上記のように両作動杆３，４を接近させた状態で両作動杆３，４を下方側に向けると、ストッパー体５は自重により第２の傾斜部２３ｃ，２４ｃの位置へ移動する。
また、上記状態で両作動杆３，４を上方側に向け、杆体２３，２４の適当部（例えば上端部側）を手で握って両バネ杆体をさらに接近させるように押圧力を加えると、ストッパー体５は自重によってバネ杆体の基部側方向へ移動して両バネ杆体２３，２４のストッパー体５による前記係止状態は解除される。したがって、図５に仮想線で示すように、両作動杆３，４はバネ部２２のバネ作用により両バネ杆体２３，２４と同調して弾力的に離反して開かれる。
【００２６】
次に使用方法の一例について説明する。図６にはスーツ等６の袖７の皺を伸ばす使用状態の一例が開示されている。スーツ等６はハンガー８に掛けて吊り下げてある。そこで、上述したように、両バネ杆体２３，２４のグリップ体２５，２６の部分を手で握りしめて両作動杆３，４を互に接近させ、ストッパー体５を第２の傾斜部２３ｃ，２４ｃの位置へ移動して両バネ杆体（両作動杆）の離反方向への動きを規制して係止する。この状態で両作動杆３，４を袖口７ａから袖７内の所望の部位まで挿入した後、両バネ杆体２３，２４の適当部を握って両バネ杆体をさらに接近させるように押圧力を加えてストッパー体による両バネ杆体の上記係止状態を開放する。
上記により、両作動杆はバネ作用により弾力的に離反して袖７に当接し、袖に張力が掛るので、袖に生じている皺は両作動杆の押圧作用を受けて次第に伸ばされる。
【００２７】
なお、実施の形態ではストッパー体５を金属杆材５３で構成した例を開示したが、硬質性のプラスチック杆材等を採用してもよい。また、実施の形態では２つの係合枠状部５１ａ，５２ａを形成した例を開示したが、両枠状部５１ａ，５２ａを連結して１つの係合枠状部を形成する構成を採用することもできる。
さらにまた、実施の形態ではストッパー用係合部を係合枠状部で構成した例を開示したが、ストッパー用係合部は略長方形状に形成した係合孔で構成してもよい。この方式は、例えばストッパー体５を金属材やプラスチック材等の板状体等で構成し、この板状体等に前記係合孔を設ける等の方法により構成することができる。
【００２８】
また、実施の形態ではスーツ等の上着の袖の皺を伸ばす例について開示したが、本考案はコート等の袖やズボンの股下部、その他の被服の皺を伸ばす際に使用可能なこと勿論である。
【００２９】
なお、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００３０】
【図１】本考案の被服用皺伸ばし器の一実施の形態を示すものであって、同図（ａ）は正面図、同図（ｂ）は側面図である。
【図２】同上皺伸ばし器の要部を拡大して示す正面図である。
【図３】図２のＡ−Ａ線拡大断面図である。
【図４】同上皺伸ばし器に採用したストッパー体の斜視図である。
【図５】同上皺伸ばし器の作用説明図である。
【図６】同上皺伸ばし器の使用状態の一例を示す図であって、同図（ａ）は全体を示す説明図、同図（ｂ）は一部を拡大して示す説明図である。
【図７】従来の被服用皺伸ばし器を示す正面図である。
【符号の説明】
【００３１】
１        被服用皺伸ばし器本体
２        バネ器
３，４    皺伸ばし用作動杆
５        ストッパー体
２２      図形バネ部
２３，２４    バネ杆体
【図１】
0003121188.tif 000003
【図２】
0003121188.tif 000004
【図３】
0003121188.tif 000005
【図４】
0003121188.tif 000006
【図５】
0003121188.tif 000007
【図６】
0003121188.tif 000008
【図７】
0003121188.tif 000009